(57)【要約】【課題】写真館から注文された内容を現像所において容易に読み取ることができる写真撮影システムを提供する。【解決手段】写真撮影システムは、写真館Ａから現像所Ｂに対して印画するように注文した画像と同じ画像が撮影された電子写真を記録した電子注文票を、写真館Ａに設けられた電子注文票作成装置５によって作成する。電子注文票は、写真館Ａに設けられた写真館端末７から現像所Ｂに設けられた現像所端末８にネットワーク６を通って伝達される。現像所端末８は受信した電子注文票を視認可能な形式で出力する機能を有しており、電子注文票８に記録された電子写真が現像所Ｂにおいて視認できる。【選択図】図１
2005091911.tif 000002
【特許請求の範囲】
【請求項１】
写真感光材料を用いて撮影対象を撮影する主カメラと、主カメラのシャッターの開放と同時に主カメラと同じ視野の電子写真を撮影する補助カメラと、補助カメラにより撮影された複数の電子写真をディスプレイ装置に表示するとともに表示された電子写真の中から所望の電子写真を選択するように操作される選択手段と、選択手段により選択された電子写真を記録した電子注文票を作成する電子注文票作成手段と、ネットワークに接続され電子注文票をネットワーク上に送出する通信手段と、前記写真感光材料を現像し印画する現像所に設置されるとともにネットワークに接続され通信手段から送出された電子注文票を視認可能な形式で出力する確認表示端末とを備えることを特徴とする写真撮影システム。
【請求項２】
前記電子注文票作成手段は、前記主カメラで撮影された画像と当該画像と同時に撮影された前記電子写真とを互いの識別子により対応付けていることを特徴とする請求項１記載の写真撮影システム。
【請求項３】
前記電子注文票作成手段は、前記選択手段により選択された電子写真に対応する前記主カメラで撮影された画像に関して、仕上形態と印画枚数とを少なくとも含む注文内容を当該電子写真とともに前記電子注文票に記録することを特徴とする請求項２記載の写真撮影システム。
【請求項４】
前記電子注文票作成手段は前記電子写真と前記注文内容とを併せて紙に印刷することにより注文書を作成する機能を備えることを特徴とする請求項３記載の写真撮影システム。
【発明の詳細な説明】
【技術分野】
【０００１】
本発明は、主として写真館等のスタジオにおいて写真感光材料を用いて撮影対象を撮影する際に用いる写真撮影システムに関するものである。
【背景技術】
【０００２】
一般に、写真館において写真感光材料を用いて撮影対象を撮影し、撮影された写真感光材料を写真館と別に設けられた現像所において現像・印画する場合は、現像所において印画するまで撮影された画像の写り具合を確認できない問題がある。
【０００３】
このような問題を解決するために、本件出願人は、写真感光材料を用いて撮影対象を撮影する主カメラと電子写真を撮影するデジタルスチルカメラ等からなる補助カメラとの２台のカメラを用いた写真撮影システムを先に提案した。
【０００４】
この写真撮影システムは、主カメラで撮影すると同時に補助カメラで撮影し、補助カメラで撮影された複数の電子写真をディスプレイ装置に表示するとともに、表示された複数の電子写真の中から所望の電子写真を選択する構成を有している。ここに、主カメラで撮影された画像と当該画像と同時に撮影された電子写真とは互いに対応付けられており、電子写真を参照して所望の画像を撮影の直後に選択することができる（たとえば、特許文献１参照）。
【０００５】
上述した写真撮影システムを用いれば、写真館において同じ撮影内容について複数枚（通常４〜５枚）ずつ撮影しておいて、撮影の直後に撮影された複数の画像の中から撮影を依頼した顧客が好みの画像を選択し、現像所に印画の注文をすることができる。撮影内容とは、撮影される人物、ポーズ、衣装などの組み合わせを意味する。
【０００６】
顧客に選択された画像のコマ番号は、写真館において、当該画像に関する仕上形態と印画枚数とを含む注文内容とともに注文書に記入される。仕上形態とは、顧客が指示する仕上りの形態であって、引伸ばしのサイズや台紙の種類あるいは写真の他のアルバムやキーホルダー等の商品形態を含む。注文書が写真感光材料とともに現像所に送付されると、現像所において注文書によって写真館からの注文通りに印画することができる。ここで、現像所では、写真感光材料を現像して得られたネガからコマ番号によって印画すべき画像を特定する。
【０００７】
さらに、印画すべき画像の特定作業を補助するために、注文書には印画すべき画像の特徴を文章で示すコメントを記入する欄が設けられている。
【特許文献１】特公平７−１１３７３３号公報（第３−４頁、図１）
【発明の開示】
【発明が解決しようとする課題】
【０００８】
しかし、上述したようなコメントは、内容の書き方が書き手によって千差万別であり、さらには、書き手によって文字が読み難いこともある。また、上述したように同じ撮影内容について複数枚ずつ撮影すると、写真館において画像の相違点をコメントとして表現することは困難であって、現像所においてコメントにより各画像を区別することは困難である。要するに、コメントを用いても正確な情報伝達ができないことがあり、コメントは実質的にあまり役立たっていないのが現状である。
【０００９】
本発明は上記事由に鑑みて為されたものであって、現像所において、印画すべき画像を他の画像と間違うことなく印画できるように写真館から注文された内容を容易に読み取ることができる写真撮影システムを提供することを目的とする。
【課題を解決するための手段】
【００１０】
請求項１の発明は、写真感光材料を用いて撮影対象を撮影する主カメラと、主カメラのシャッターの開放と同時に主カメラと同じ視野の電子写真を撮影する補助カメラと、補助カメラにより撮影された複数の電子写真をディスプレイ装置に表示するとともに表示された電子写真の中から所望の電子写真を選択するように操作される選択手段と、選択手段により選択された電子写真を記録した電子注文票を作成する電子注文票作成手段と、ネットワークに接続され電子注文票をネットワーク上に送出する通信手段と、前記写真感光材料を現像し印画する現像所に設置されるとともにネットワークに接続され通信手段から送出された電子注文票を視認可能な形式で出力する確認表示端末とを備えることを特徴とする。
【００１１】
この構成によれば、写真館から現像所に対して印画すべき画像の画像データが通知されるものであって、現像所において、電子写真とネガの画像との照合は一目瞭然であるから、印画すべき画像を他の画像と間違うことなく印画できる。
【００１２】
また、請求項２の発明は、請求項１の発明において、前記電子注文票作成手段が、前記主カメラで撮影された画像と当該画像と同時に撮影された前記電子写真とを互いの識別子により対応付けていることを特徴とする。
【００１３】
この構成によれば、電子写真に加えて印画すべき画像の識別子を写真館から現像所に通知するものであるから、電子写真のみを現像所に通知する構成に比べて現像所における印画すべき画像の特定間違いをさらに少なくできる。
【００１４】
また、請求項３の発明は、請求項２の発明において、前記電子注文票作成手段が、前記選択手段により選択された電子写真に対応する前記主カメラで撮影された画像に関して、仕上形態と印画枚数とを少なくとも含む注文内容を当該電子写真とともに前記電子注文票に記録することを特徴とする。
【００１５】
この構成によれば、電子注文票が通信手段から送出された直後に注文内容を現像所に通知することができるから、現像所において、写真感光材料の到着前に予めアルバム台紙やキーホルダーなどの部材を発注しておくことができる。一方、従来は現像所に注文書が到着してから上記部材を発注していたから、上記部材の在庫がないときに商品完成までに多大な時間を要していたが、請求項３の発明では、上述した理由によって、商品完成までに要する時間の短縮が期待できる。
【００１６】
また、請求項４の発明は、請求項３の発明において、前記電子注文票作成手段が前記電子写真と前記注文内容とを併せて紙に印刷することにより注文書を作成する機能を備えることを特徴とする。
【００１７】
この構成によれば、写真館と現像所との間で電子注文票に伝送誤りが生じたとしても現像所では受け取る注文書によって注文された内容を確認できるから、注文の内容を現像所に対して確実に伝達することができる。
【発明の効果】
【００１８】
本発明は、写真館から現像所に対して印画すべき画像の画像データが通知されるものであって、現像所において、電子写真とネガの画像との照合は一目瞭然であるから、印画すべき画像を他の画像と間違うことなく印画できる。
【発明を実施するための最良の形態】
【００１９】
本実施形態の写真撮影システムは、主として写真館において写真感光材料を用いて撮影対象を撮影し、当該写真感光材料を写真館とは別に設けられた現像所に送付し、現像所において写真感光材料を現像・印画するために用いられる。
【００２０】
本実施形態は、図１に示すように、写真感光材料を用いて撮影対象１を撮影する主カメラ２と、視野を主カメラ２と同じにするように主カメラ２と結合され撮影対象１を電子写真として撮影するデジタルスチルカメラからなる補助カメラ３とを写真館Ａに備える。さらに、写真館Ａには、補助カメラ３で撮影された複数の電子写真をディスプレイ装置４１に表示するとともに表示された複数の電子写真の中から所望の電子写真を選択する選択手段としてのセレクト装置４が設けられる。
【００２１】
ところで、本実施形態の写真撮影システムは、セレクト装置４の出力を受けて電子注文票を作成する電子注文票作成装置５（電子注文票作成手段）と、作成された電子注文票をネットワーク６上に送出（アップロード）する通信手段としての写真館端末７とを写真館Ａに備え、ネットワーク６から電子注文票を受信（ダウンロード）する現像所端末８（確認表示端末）を現像所Ｂに備える点に特徴がある。電子注文票とは、従来構成で用いていた注文書に代えて現像所Ｂに対して注文の内容を伝達する電子データを意味する。
【００２２】
以下に、上述した写真撮影システムを使用して商品を作製する手順を説明する。
【００２３】
まず、顧客の依頼を受けて写真館Ａにおいて主カメラ２で同じ撮影内容（背景技術を参照）について複数枚ずつ撮影対象１を撮影する。ここで、補助カメラ３が主カメラ２のシャッターの開放に同期して撮影対象１を撮影するように設定されていることによって、主カメラ２で撮影される画像と同じ画像が補助カメラ３で電子写真として撮影される。また、主カメラ２で撮影される画像と当該画像と同時に撮影される電子写真とを互いに対応付けるために、本実施形態では互いのコマ番号（識別子）が同じになるように設定されるが、主カメラ２で撮影される画像と当該画像と同時に撮影される電子写真との夫々にコマ番号とは別に互いを対応付ける識別子を付与してもよい。
【００２４】
また、セレクト装置４は、補助カメラ３で撮影された複数の電子写真を対応するコマ番号とともに読み込む読込装置４２と、読込装置４２に読み込まれた複数の電子写真を表示するディスプレイ装置４１と、表示された複数の電子写真の中から所望の電子写真を選択するように操作可能な操作部４３とを備える。ここで、ディスプレイ装置４１は、複数の電子写真を比較できるものであれば、画面が複数に分割されたものであっても、複数の画面を有するものであってもよい。また、補助カメラ３とセレクト装置４との間のデータのやり取り（図中に破線で示す）には、本実施形態ではＭＯディスクを用いるが、他の着脱自在なメモリ媒体を用いても、あるいは、補助カメラ３とセレクト装置４とを直接接続してもよい。
【００２５】
セレクト装置４を用いれば、ディスプレイ装置４１に表示された複数の電子写真の中から顧客の好みの写り具合の電子写真を操作部４３の操作によって選択することができる。セレクト装置４は、選択された電子写真を読込装置４２から対応するコマ番号とともに出力する。
【００２６】
一方、電子注文票作成装置５は、図２に例示するような電子注文票を表示するとともにタッチパネル式の入力手段としての機能を有する操作表示器５１を備える。操作表示器５１は、セレクト装置４の出力を受けて、セレクト装置４で選択された電子写真と対応するコマ番号とを図２における画面の上半分に設けた写真表示領域５２の電子写真欄５２ａとコマ番号欄５２ｂとに夫々表示する。
【００２７】
さらに、電子注文作成手段において、セレクト装置４で選択された電子写真に対応する画像を印画するにあたって現像所Ｂに通知すべき注文内容を顧客の指示に従って電子注文票に記録することができる。注文内容は、仕上りの形態であって引伸ばしのサイズや台紙の種類あるいは写真の他のアルバムやキーホルダー等の商品形態などを決定する仕上形態と、印画枚数とを含む。図示例では、注文内容を表示するとともに電子注文票への注文内容の記録を行う注文領域５３が画面の下半分に設けられる。
【００２８】
注文領域には、たとえば、図中に「商品」と示した商品形態を表示する商品欄５３ａと、図中に「サイズ」と示した引伸ばしのサイズを表示するサイズ欄５３ｂと、図中に「点数」と示した印画枚数を表示する点数欄５３ｃと、図中に「コマＮｏ．」と示したコマ番号を表示する識別子欄５３ｄとが左から順に並ぶ。ここに、識別子欄５３ｄに表示されたコマ番号の画像に関して、同じ行内において商品欄５３ａとサイズ欄５３ｂと点数欄５３ｃとに夫々表示された商品形態と引伸ばしサイズと印画枚数とが注文内容になる。
【００２９】
また、図示例では、操作表示器５１がタッチパネル式の入力手段としての機能を有するので、上述した各項目５３ａ〜５３ｄおよび操作項目５４に触れることによって、電子注文票を作成または修正することができる。ここで、各項目５３ａ〜５３ｄは夫々複数の選択肢の中から選択される。
【００３０】
写真館端末７は、インターネットを利用したイントラネットのようなネットワーク６に接続されネットワーク６に対してデータをアップロードする機能と、電子注文票作成装置５で作成された電子注文票を取り込む機能とを有する。電子注文票作成装置５で作成された電子注文票は、写真館端末７によってネットワーク上に送出される。
【００３１】
一方、現像所Ｂに設けられた現像所端末８は、ネットワーク６に接続されネットワーク６からデータをダウンロードする機能と、データを視認可能な形式で出力する機能としての印刷機能を有する。したがって、現像所端末８は、写真館端末７からネットワーク６上に送出された電子注文票を受信し印刷することができる。
【００３２】
要するに、上述した写真撮影システムを用いれば、印画すべき画像と同じ画像の電子写真を、電子注文票を用いて写真館Ａから現像所Ｂに伝達することができる。現像所Ｂにおいて、ネガの画像と電子写真とを照合すれば、ネガの画像が印画すべき画像であるかどうかが一目瞭然であるから、正確な情報伝達が実現し印画すべき画像の特定が確実になる。
【００３３】
また、電子注文票作成装置５は、図３に例示するような注文書５１’として電子注文票を印刷する機能を有する。注文書５１’は、図示例では、電子注文票における写真表示領域５２と同様の内容が写真印刷領域５２’に印刷され、電子注文票における注文領域５３と同様の内容が写真印刷領域５２’の下方の注文印刷領域５３’に印刷される。写真印刷領域５２’における電子写真印刷欄５２ａ’とコマ番号印刷欄５２ｂ’との夫々には電子写真と対応するコマ番号とが印刷され、注文印刷領域５３’における商品印刷欄５３ａ’とサイズ印刷欄５３ｂ’と点数印刷欄５３ｃ’と識別子印刷欄５３ｄ’との夫々には注文領域５３の各項目が印刷される。
【００３４】
印刷された注文書５１’を写真感光材料とともに写真館Ａから現像所Ｂに対して送付すれば、写真館Ａから現像所Ｂに対して電子注文票による注文に重複して注文書５１’によって注文できる。その結果、万一、写真館Ａと現像所Ｂとの間において電子注文票に伝送誤りが生じたとしても現像所Ｂでは注文書５１’によって注文された内容を確認できるから、注文の内容を現像所Ｂに対して確実に伝達することができる。しかも、ネットワーク６に接続された現像所端末８が設けられていない現像所Ｂに対しても注文書５１’によって注文の内容を伝達することができる。
【００３５】
なお、電子注文票は上述したコマ番号や注文内容を記録する構成に限らず、印画すべき画像に対応する電子写真を記録する構成であればよい。さらに、電子注文票作成装置５は、上述した操作表示器５１に代えて、表示器とキーボード等の入力手段とを別に有する構成を採用してもよい。また、写真館端末７や現像所端末８にパーソナルコンピュータを用いてもよく、その場合には、写真館端末７にセレクト装置４や電子注文票作成装置５としての機能を備えることも考えられる。その他、写真館端末７は通信手段としての機能を有するものであればよく、注文書５１’を印刷する機能を有さないものであってもよい。
【図面の簡単な説明】
【００３６】
【図１】本発明の実施形態の全体構成を示すブロック図である。
【図２】同上の操作表示器の表示状態を示す動作説明図である。
【図３】同上の注文書を示す説明図である。
【符号の説明】
【００３７】
１  撮影対象
２  主カメラ
３  補助カメラ
４  セレクト装置（選択手段）
５  電子注文票作成装置（電子注文票作成手段）
６  ネットワーク
７  写真館端末（通信手段）
８  現像所端末（確認表示端末）
４１  ディスプレイ装置
５１’  注文書
Ｂ  現像所
【図１】
2005091911.tif 000003
【図２】
2005091911.tif 000004
【図３】
2005091911.tif 000005